(57)【要約】      （修正有）【課題】液体収納容器より液体を吸引しての抜き取り作業を行なう場合、自動的に検知音を発生させて、作業者が効率よく作業を行なえる液体吸引機を得る。【解決手段】液体を収納することができ、かつ内部を負圧にすることができる液体収納タンク４と、この液体収納タンク４内を吸引ポンプ５を用いて所定の負圧にする負圧装置９と、一端部が液体収納タンク４内の上部壁４ａ寄りの部位に開口され、他端部が液体収納タンク４外へ位置する開閉弁１０を介して液体収納容器内の液体を吸引することができる吸引ノズル１１を備えた吸引ホース１２と、この吸引ホース１２の一端部に脱落不能で、かつ液体収納タンク４の上部壁４ａに衝突できるように遊挿状態でスライド移動可能に覆う検知音発生キャップ１３と、液体収納タンク４内に収納された液体を外部へ排出する開閉弁１４を介装した排出ホース１５とで液体吸引機１を構成している。【選択図】図３
2010265016.tif 000002
【特許請求の範囲】
【請求項１】
液体を収納することができ、かつ内部を負圧にすることができる液体収納タンク4と、この液体収納タンク４内を吸引ポンプ５を用いて所定の負圧にする負圧装置9と、一端部が前記液体収納タンク４内の上部壁寄りの部位に開口され、他端部が前記液体収納タンク４外へ位置する開閉弁１０を介して液体収納容器２内の液体を吸引することができる吸引ノズル11を備えた吸引ホース12と、この吸引ホース１２の一端部に脱落不能で、かつ前記液体収納タンク４の上部壁に衝突できるように遊挿状態でスライド移動可能に覆う検知音発生キャップ13と、前記液体収納タンク４内に収納された液体を外部へ排出する開閉弁14を介装した排出ホース１５とからなることを特徴とする液体吸引機。
【請求項２】
液体収納タンクは、少なくとも３個以上のキャスターで移動可能で、かつ液体が収納される上部開口の液体収納タンク本体と、この液体収納タンク本体の上部開口部を密封状態で開閉可能に覆う開閉蓋とで構成され、前記液体収納タンク本体に負圧装置の吸引ポンプに接続される開閉弁を設けた接続パイプが設けられていることを特徴とする請求項１記載の液体吸引機。
【請求項３】
液体収納タンクには負圧装置の吸引ポンプが設けられていることを特徴とする請求項１記載の液体吸引機。
【発明の詳細な説明】
【技術分野】
【０００１】
本発明は液体の交換作業、例えばエンジンオイル等の液体を液体収納容器より吸引除去する液体吸引機に関する。
【背景技術】
【０００２】
従来、エンジンオイルをコンプレッサーに接続され負圧されたタンク内へエンジンオイルを吸引して抜き取るエンジンオイル交換機が本出願人により商品化されている。
【０００３】
しかしながら、このエンジンオイル交換機は、エンジンオイルの抜き取りを効率よく行なうことができるが、作業者がエンジンオイル交換機についていて、エンジンオイルの抜き取りが完了したかどうかを判断しなければならないという欠点があった。
【先行技術文献】
【特許文献】
【０００４】
【特許文献１】特開２００１−１４０６２３
【特許文献２】登録意匠第１１０７８１４
【発明の概要】
【発明が解決しようとする課題】
【０００５】
本発明は以上のような従来の欠点に鑑み、液体収納容器より液体を吸引しての抜き取り作業を行なう場合、作業者がつきっきりでなくても、液体収納容器内の液体を吸引してしまった後のエアーの吸引によって、自動的に検知音を発生させて、作業者に液体の吸引の完了を知らせることができ、作業者が効率よく作業を行なうことができる液体吸引機を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は液体を収納することができ、かつ内部を負圧にすることができる液体収納タンクと、この液体収納タンク内を吸引ポンプを用いて所定の負圧にする負圧装置と、一端部が前記液体収納タンク内の上部壁寄りの部位に開口され、他端部が前記液体収納タンク外へ位置する開閉弁を介して液体収納容器内の液体を吸引することができる吸引ノズルを備えた吸引ホースと、この吸引ホースの一端部に脱落不能で、かつ前記液体収納タンクの上部壁に衝突できるように遊挿状態でスライド移動可能に覆う検知音発生キャップと、前記液体収納タンク内に収納された液体を外部へ排出する開閉弁を介装した排出ホースとで液体吸引機を構成している。
【発明の効果】
【０００９】
以上の説明から明らかなように、本発明にあっては次に列挙する効果が得られる。
（１）吸引ホースの液体収納タンク内の一端部に脱落不能で、かつ液体収納タンクの上部壁に衝突するように遊挿状態でスライド移動可能に覆う検知音発生キャップによって、液体収納容器内の液体の吸引の完了時にエアーを吸引すると、検知音発生キャップが液体収納タンクの上部壁に衝突して、検知音を発生させることができる。
したがって、液体の抜き取り作業時につきっきりでなく、他の作業を行なっていても液体の 抜き取り作業が完了したことを検知音で知ることができ、効率よく作業者が作業することができる。
（２）前記（１）によって、吸引ホースの一端部に検知音発生キャップを取付けるだけでよいので、安価で、容易に製造することができるとともに、液体の吸引からエアーの吸引にかわるところで機械的に検知音を発生させることができるので、故障が少なく、長期間使用することができる。
【図面の簡単な説明】
【００１０】
【図１】本発明を実施するための第１の形態の説明図。
【図２】図１の２−２線に沿う断面図。
【図３】本発明を実施するための第１の形態の液体収納タンクを負圧にする説明図。
【図４】本発明を実施するための第１の形態の液体を吸引する状態の説明図。
【図５】本発明を実施するための第１の形態の検知音の発生状態の説明図。
【図６】本発明を実施するための第１の形態の液体収納タンクより液体の排出状態の説明図。
【図７】本発明を実施するための第２の形態の説明図。
【図８】図７の８−８線に沿う断面図。
【図９】本発明を実施するための第２の形態の液体収納タンクを負圧にする説明図。
【発明を実施するための形態】
【００１１】
以下、図面に示す本発明を実施するための形態により、本発明を詳細に説明する。
図１ないし図６に示す本発明を実施するための第１の形態において、１はエンジン内のエンジンオイルや液体収納容器２内の液体３を吸引回収する場合に使用される本発明の液体吸引機で、この液体吸引機１は液体を収納することができ、かつ内部を負圧にすることができる液体収納タンク４と、この液体収納タンク４内を吸引ポンプ５の吸引ホース６に接続して、所定の負圧にする開閉弁７を備えた吸引パイプ８を備えた負圧装置９と、一端が前記液体収納タンク４内の上部壁４ａ寄りの部位に開口するように垂直に位置され、他端部が前記液体収納タンク４外へ位置する開閉弁１０を介して前記液体収納容器２内の液体３を吸引することができる吸引ノズル１１を備えた吸引ホース１２と、この吸引ホース１２の一端部に脱落不能で、かつ前記液体収納タンク４の上部壁４ａに衝突できるように遊挿状態でスライド移動可能に覆う検知音発生キャップ１３と、前記液体収納タンク４内に収納された液体３を外部へ排出する開閉弁１４を介装した排出ホース１５とから構成されている。
【００１２】
前記液体収納タンク４は下部に少なくとも３個以上、本発明の実施の形態では４個の自在キャスター１６、１６、１６、１６で移動可能で、かつ液体が収納される上部開口１７の液体収納タンク本体１８と、この液体収納タンク本体１８の上部開口部１７を密封状態で開閉可能に覆う開閉蓋１９と、前記液体収納タンク本体１８の外側面に固定された上部が上方後部へ突出するハンドル２０とで構成されている。
【００１３】
上記構成の液体吸引機１は、負圧装置９の吸引パイプ８に吸引ポンプ５の吸引ホース６を接続するとともに、吸引ホース１２の開閉弁１０および排出ホース１４の開閉弁１４を閉状態にし、負圧装置９の吸引パイプ８の開閉弁７を開放し、吸引ポンプ５を駆動させて液体収納タンク４内の空気を排出して、所定の負圧にし、負圧装置９の吸引パイプ８の開閉弁７を閉じるとともに、吸引ポンプ５の駆動を停止させる。
【００１４】
しかる後、吸引ホース１２の吸引ノズル１１を液体収納容器２内へ挿入し、吸引ノズル１１の先端部を液体収納容器２の底部に位置させる。
【００１５】
この状態で、吸引ホース１２の開閉弁１０を開放すると、液体収納容器２内の液体３を吸引ノズル１１、吸引ホース１２を介して液体収納タンク４内へ、該液体収納タンク４内の負圧によって吸引される。
【００１６】
液体収納容器２内の液体３の吸引完了時に、吸引ホース１２内に液体収納容器２内のエアーが流れ込むため、液体収納タンク４内の負圧のバランスが変化することにより、検知音発生キャップ１３が急に上に上がり、液体収納タンク４の上部壁４ａと衝突して衝突音（検知音） を発生させる。
【００１７】
この検知音発生キャップ１３が液体収納タンク４の上部壁４ａと衝突する検知音により、液体収納容器２内の液体３の吸引終了を知ることができる。
【００１８】
液体収納タンク４内に液体３を排液タンク２１等へ排出する場合、排出ホース１５の先端部を排液タンク２１内に位置させ開閉弁１４を開放させるとともに、吸引ホース１２の開閉弁１０を開放することにより、液体収納タンク４内の液体３をスムーズに、該液体収納タンク４より排出ホース１５を介して排液タンク２１へ排出させることができる。
【００１９】
[発明を実施するための異なる形態]
次に、図７ないし図９に示す本発明を実施するための異なる形態につき説明する。なお、この本発明を実施するための異なる形態の説明に当って、前記本発明を実施するための第１の形態と同一構成部分には同一符号を付して重複する説明を省略する。
【００２０】
図７ないし図９に示す本発明を実施するための第２の形態において、前記本発明を実施するための第１の形態と主に異なる点は、液体収納タンク４に吸引ポンプ５を取付けた負圧装置９Ａを用いた点で、このような負圧装置９Ａを用いた液体吸引機１Ａにしても、前記本発明を実施するための第１の形態と同様な作用効果が得られる。
【産業上の利用可能性】
【００２１】
本発明は液体の交換作業等で液体を液体収納容器より吸引除去する場合に使用される液体吸引機を製造する産業で利用される。
【符号の説明】
【００２２】
１、１Ａ：液体吸引機、    ２：液体収納容器、
３：液体、        ４：液体収納タンク、
５：吸引ポンプ、      ６：吸引ホース、
７：開閉弁、        ８：吸引パイプ、
９、９Ａ：負圧装置、    １０：開閉弁、
１１：吸引ノズル、      １２：吸引ホース、
１３：検知音発生キャップ、  １４：開閉弁、
１５：排出ホース、      １６：自在キャスター、
１７：上部開口、      １８：液体収納タンク本体、
１９：開閉蓋、      ２０：ハンドル、
２１：排液タンク。
【図１】
2010265016.tif 000003
【図２】
2010265016.tif 000004
【図３】
2010265016.tif 000005
【図４】
2010265016.tif 000006
【図５】
2010265016.tif 000007
【図６】
2010265016.tif 000008
【図７】
2010265016.tif 000009
【図８】
2010265016.tif 000010
【図９】
2010265016.tif 000011